(57)【要約】【課題】テレビ受信装置等の表示装置において、複数のデジタルドキュメントを、任意の表示形態で表示する。【解決手段】実施形態において、情報端末装置は、デジタルドキュメントを表示する表示部を有する表示装置に、デジタルドキュメントの少なくとも１ページ分の表示データを、前記表示装置が表示する際に適用する表示規則とともに、供給する。【選択図】図１
2012231315.tif 000002
【特許請求の範囲】
【請求項１】
デジタルドキュメントを表示する表示部を有する表示装置に、デジタルドキュメントの少なくとも１ページ分の表示データを、前記表示装置が表示する際に適用する表示規則とともに、供給する情報端末装置。
【請求項２】
前記表示規則は、前記表示装置との間の位置関係を規定する請求項１記載の情報端末装置。
【請求項３】
前記表示規則は、デジタルドキュメントが含む図表あるいは画像が異なるページに存在する場合に、そのページを抽出して前記表示部に表示させる請求項２記載の情報端末装置。
【請求項４】
前記表示規則は、デジタルドキュメントが含む図表あるいは画像を拡大して表示させる請求項２記載の情報端末装置。
【請求項５】
前記表示規則は、２以上の表示装置の表示部のそれぞれにデジタルドキュメントを表示させる請求項１記載の情報端末装置。
【請求項６】
前記表示規則は、デジタルドキュメントが含む図表あるいは画像を、異なる表示装置の表示部に表示させる請求項５記載の情報端末装置。
【請求項７】
前記表示規則は、表示装置が２台であるとき、両側にそれぞれを位置させて表示する請求項６記載の情報端末装置。
【請求項８】
前記表示規則は、表示装置が２台であるとき、中央に位置するべきページのデジタルドキュメントを自身に表示する請求項６記載の情報端末装置。
【請求項９】
前記表示規則は、前記情報端末装置が表示済のデジタルドキュメントのうちの所定範囲を前記表示部に表示させる、請求項１記載の情報端末装置。
【請求項１０】
デジタルドキュメントを取得し、
取得したデジタルドキュメントの少なくとも１ページ分を表示し、
表示したページと関連付けられるページを、所定の位置の表示装置の表示部に表示させるデジタルドキュメント表示方法。
【請求項１１】
表示装置が表示するページは、表示したページと同一のページと非同一のページのそれぞれを含む請求項１０記載のデジタルドキュメント表示方法。
【請求項１２】
表示装置が表示するページは、表示したページと異なるページのみを含む請求項１０記載のデジタルドキュメント表示方法。
【発明の詳細な説明】
【技術分野】
【０００１】
本発明の実施の形態は、デジタルドキュメント表示方法及び情報端末装置に関する。
【背景技術】
【０００２】
デジタル放送に対応したテレビ受信装置は、デジタルドキュメントを表示するためにも有益である。
【先行技術文献】
【特許文献】
【０００３】
【特許文献１】特開平９−８１４７５号公報
【発明の概要】
【発明が解決しようとする課題】
【０００４】
デジタル放送に対応したテレビ受信装置等の表示装置は、大画面化の結果、単一の画面内に、複数のデジタルドキュメントを表示するために好適の大きさと精細さを備える。
【０００５】
反面、単一の画面内に複数のデジタルドキュメントを表示するためのプラットフォームは、必ずしも十分とはいえない。
【０００６】
本発明の目的は、テレビ受信装置等の表示装置において、複数のデジタルドキュメントを、任意の表示形態で表示することである。
【課題を解決するための手段】
【０００７】
実施形態によれば、情報端末装置は、デジタルドキュメントを表示する表示部を有する表示装置に、デジタルドキュメントの少なくとも１ページ分の表示データを、前記表示装置が表示する際に適用する表示規則とともに、供給する。
【図面の簡単な説明】
【０００８】
【図１】実施形態を適用するデジタルドキュメント表示システムの一例を示す概略図。
【図２Ａ】実施形態を適用するデジタルドキュメントの表示例の一例を示す概略図。
【図２Ｂ】実施形態を適用するデジタルドキュメントの表示規則の一例を示す概略図。
【図３Ａ】実施形態を適用するデジタルドキュメントの表示例の一例を示す概略図。
【図３Ｂ】実施形態を適用するデジタルドキュメントの表示規則の一例を示す概略図。
【図４Ａ】実施形態を適用するデジタルドキュメントの表示例の一例を示す概略図。
【図４Ｂ】実施形態を適用するデジタルドキュメントの表示規則の一例を示す概略図。
【図５Ａ】実施形態を適用するデジタルドキュメントの表示例の一例を示す概略図。
【図５Ｂ】実施形態を適用するデジタルドキュメントの表示規則の一例を示す概略図。
【図６】実施形態を適用するデジタルドキュメント表示支援モードにおけるテレビ装置側の動作の一例を示す概略図。
【図７】実施形態を適用する表示内容のパラメータの変更の一例を示す概略図。
【図８】実施形態を適用するテレビ装置側の表示の設定の一例を示す概略図。
【発明を実施するための形態】
【０００９】
以下、実施の形態について図面を参照して説明する。
【００１０】
図１は、実施形態を適用するデジタルドキュメント表示システムの一例を示す。なお、以下に説明する要素や構成あるいは機能は、ハードウェアで実現するものであってもよいし、マイクロコンピュータ（処理装置、ＣＰＵ）等を用いてソフトウェアで実現するものであってもよい。
【００１１】
図１に示すデジタルドキュメント表示システムは、デジタルドキュメントを表示可能であって、ユーザが手元で（携帯した状態で）、操作することが可能な携帯可能な情報端末装置１、デジタルテレビジョン受信装置（以下テレビ装置と示す）３、例えば家庭内に適用される閉じたネットワークである家庭内ＬＡＮ（Local Area Network）における情報端末装置１とテレビ装置３との接続、あるいは外部に位置するサービスサーバと情報端末装置１及びテレビ装置３との間のインターネットを通じた接続を制御するブロードバンドルータ５を含む。
【００１２】
情報端末装置１は、デジタルドキュメントを表示する表示部１１、ユーザによる入力を受けつけるボタン群１３及びタッチパネル１５を備える。なお、タッチパネル１５の少なくとも一部は、表示部１１と一体的に設けられる。また、ボタン群１３の少なくとも一部は、タッチパネル１５が表示する、例えばボタン形状あるいはアイコン等の任意の表示にユーザの指等が触れることを検出するタッチセンサ方式であることが好ましい。
【００１３】
情報端末装置１はまた、以下に説明する各ブロックの制御及びブロードバンドルータ５との間の通信に利用可能な制御ブロック２１を含む。
【００１４】
制御ブロック２１は、ボタン群１３及びタッチパネル１５からの入力信号を受けつける入力制御部２３、ユーザの指示に応じて取得したドキュメントや画像、ならびに種々の制御データ等を保持する記憶部２９及び表示部１１が表示するドキュメントや画像の大きさと位置、ドキュメントや画像の表示位置の変更（スクロール）等、及びタッチパネル１５による入力を可能とするための表示を制御する表示制御部３１を含む。なお、これらの各部相互間の信号の受け渡し及びデータの取得等を、主制御部２５が制御する。
【００１５】
制御ブロック２１はまた、主制御部２５の制御の下で動作する通信制御部２７を含み、ブロードバンドルータ５との間の無線方式による家庭内ＬＡＮへのアクセス、及び基地局１０１及び通信会社（キャリア）１０３を経由する無線通信網（データ通信網）を用いるインターネット網への接続が可能である。なお、通信制御部２７は、ルータ５を経由し、以下に説明する（テレビ装置３側の）通信制御部１２７との間のデータの受け渡し、及び図２Ｂ、図３Ｂ、図４Ｂ及び図５Ｂ、等を用いて後段に説明する『状態（表示規則）』のテレビ装置３への転送が可能である。
【００１６】
テレビ装置３は、デジタル放送を受信し、映像及び音声を再生するもので、複数ページ（少なくとも２ページ）分のデジタルドキュメントを表示可能なサイズの表示部１１１を有することが好ましい。
【００１７】
テレビ装置３は、入力制御部１２３、主制御部１２５、通信制御部１２７、記憶部１２９、表示制御部１３１、映像処理部１３３、復調部１３５、選局部１３７及び音声処理部１３９、等を少なくとも含み、それぞれを制御する制御ブロック１２１を含む。
【００１８】
入力制御部１２３は、例えば赤外線入力部１４１を介し、例えばリモートコントローラ（リモコン端末）により入力される制御入力（制御コマンド）を受けつける。
【００１９】
主制御部１２５は、入力制御部１２３が受けつけた制御コマンド（制御入力）に応じ、上述の各部を制御するための所定の制御信号を出力する。
【００２０】
今日広く普及しているいわゆるテレビ受信装置であり、代表的な要素として、制御ブロック外部通信用のためにネットワークに接続できる。
【００２１】
通信制御部１２７は、テレビ装置３を、家庭内ＬＡＮ上の制御対象の一つとして位置する。また、通信制御部１２７は、ルータ５を経由して外部ネットワーク（インターネット網）と接続し、例えばオンデマンド配信される番組や、ネットワークを通じて番組を供給する有線系配信事業者が用意する番組を取得（受信）する。なお、通信制御部１２７は、ルータ５を経由した情報端末装置１側の通信制御部２７との間のデータの受け渡し、及び図２Ｂ、図３Ｂ、図４Ｂ及び図５Ｂ、等を用いて後段に説明する『状態（表示規則）』を情報端末装置１から取得する。
【００２２】
なお、テレビ装置３における記憶部１２９、表示制御部１３１、映像処理部１３３、復調部１３５、選局部１３７及び音声処理部１３９等のそれぞれは、一般的な構成の一例であり、詳細な説明は省略するが、選局部１３７が選局したチャンネル（の番組）を復調部１３５が復調し、復調部１３５が出力する番組について、映像処理部１３３及び音声処理部１３９が、それぞれ、（ビデオと称することもある）映像信号及び（オーディオと称することもある）音声信号を再生する。
【００２３】
映像処理部１３３が再生した映像（ビデオ）信号は、表示制御部１３１を通じ、表示部１１１（あるいは外部映像出力端）に出力される。
【００２４】
音声処理部１３９が再生した音声（オーディオ）信号は、例えばスピーカー（あるいは外部音声出力端）に出力される。
【００２５】
なお、表示部１１１は、上述の通り、複数ページ（少なくとも２ページ）分のデジタルドキュメントを表示可能なサイズを有し、以下に説明する情報端末装置１による表示制御に従い、任意のページのドキュメントを、表示する。
【００２６】
また、実施形態においては、情報端末装置１とテレビ装置（１）３との間は、ローカルエリアネットによる接続を例に説明するが、ブロードバンドルータ５が、無線ＬＡＮ機能を有することで、主として情報端末装置１とテレビ装置（１）３との間の無線接続、及びインターネット網を経由するサービスサーバとテレビ装置（１）３との間の有線接続の切り替えが可能である。
【００２７】
なお、テレビ装置３は、１台である必要はなく、例えばテレビ装置（２）７、あるいはテレビ装置（ｎ）Ｎ（ｎ，Ｎはそれぞれ正の整数）が用意されても良い。
【００２８】
図２Ａは、情報端末装置１が提供する表示方法に従い、情報端末装置１及びテレビ装置（１）３及びテレビ装置（２）７のそれぞれの表示部に、任意のデジタルドキュメントを表示する表示例を示す。なお、デジタルドキュメントは、例えばグラフィック（静止画）あるいは動画（映像）を、単一ページ内に含むものであってもよい。
【００２９】
図２Ａが示す表示システムは、２台のテレビ装置Ａ（図１における「３」）及びテレビ装置Ｂ（図１における「７」）を、物理的配置として、ユーザにとって左側に「テレビ装置Ａ」を、右側に「テレビ装置Ｂ」を、それぞれ配置した状態を示す。なお、ユーザは、情報端末装置１を保持し、両テレビ装置の間で、各テレビ装置の表示を目視しているものとする。また、各テレビ装置は、それぞれ２ページ分のドキュメントを表示できるものとする。
【００３０】
図２Ａが示す配置において、「テレビ装置Ａ（左側）」、情報端末装置１（ユーザ保持＝中央）及び「テレビ装置Ｂ（右側）」のそれぞれが表示するドキュメントのページ情報が、図２Ｂに示すように、情報端末装置１に表示している「現在のページ」が３１ページであり、ユーザが「現在のページ」までに至る間に表示したページは、過去５ページの履歴として、２６ページから３０ページの順であったとする。
【００３１】
以下、図２Ｂが保持（管理）する『状態（表示規則）』に従い、    
テレビ装置Ａ（左側）及びテレビ装置Ｂ（右側）に表示する設定として、    
「現在のページ表示有無」が、表示しないを意味する「無し」    
「履歴ページ表示数」が、３ページ分    
「先読みページ表示数」が、１ページ分    
「図参照ページの表示有無」が、表示しないを意味する「無し」    
「ネットワークサービス関連情報の表示有無」が、表示しないを意味する「無し」    
「ページ固定表示指示」が、表示しないを意味する「無し」    
と、それぞれ設定されているとする。
【００３２】
この場合、履歴ページ表示（３ページ分）を、左側のテレビＡから順に表示するため、テレビ装置Ａの左側にページ２８が、同テレビ装置Ａの右側にページ２９が、テレビ装置Ｂの左側にページ３０が、それぞれ表示される。なお、履歴ページ表示により表示されるページは、少なくとも１度表示されている（表示されたことがある）表示済ページとしてその履歴（ページ内の情報またはリンク先情報）が、記憶部２９（情報端末装置１側）及び１２９（テレビ装置３側）の少なくとも一方に保持される。
【００３３】
一方、先読み表示として、「現在のページ（情報端末装置１が表示する３１ページ）」の次のページであるページ３２が、テレビ装置Ｂの右側に表示される。
【００３４】
すなわち、ユーザが保持する情報端末装置１が表示する「現在のページ」１ページ分のドキュメントの表示に加え、ユーザが保持する２台のテレビ装置Ａ及びテレビ装置Ｂを用いて、合計５ページ分のドキュメントを、同時にまたは所定のタイミングで表示することができる。
【００３５】
従って、デジタルドキュメントの表示において比較的苦手とされる複数ページの閲覧性を、（ユーザが保持する）テレビ装置を使うことで支援することが可能となり、デジタルドキュメントの使い勝手を向上できる。
【００３６】
なお、情報端末装置１、テレビ装置Ａ（左側）及びテレビ装置Ｂ（右側）のそれぞれが表示するデジタルドキュメントは、情報端末装置１がインターネット上のサービスサーバからダウンロード（取得）し、家庭内ＬＡＮを通じて個々の各テレビ装置に転送することで、実質的にタイムラグのない表示が可能である。また、情報端末装置１が保持するドキュメントと同一のドキュメントを各テレビ装置がインターネット上のサービスサーバから取得（ダウンロード）するよう、情報端末装置１が指示し、予め各テレビ装置の記憶部で記憶しておくことで、家庭内ＬＡＮにかかる負荷を低減できる。
【００３７】
図３Ａ及び図３Ｂは、図２Ａが示す表示例及び図２Ｂが示す表示規則（状態）に関し、    
「現在のページ表示有無」を、表示するを意味する「有り」    
に変更し、    
「履歴ページ表示数」を２にした例である。
【００３８】
すなわち、図３Ａの表示例は、図３Ｂが保持（管理）する『状態』に従い、    
テレビ装置Ａ（左側）及びテレビ装置Ｂ（右側）に表示する設定として、    
「現在のページ表示有無」が、表示するを意味する「有り」    
「履歴ページ表示数」が、２ページ分    
「先読みページ表示数」が、１ページ分    
「図参照ページの表示有無」が、表示しないを意味する「無し」    
「ネットワークサービス関連情報の表示有無」が、表示しないを意味する「無し」    
「ページ固定表示指示」が、表示しないを意味する「無し」    
と、それぞれ設定されている例であり、図２Ａに示した例と比較すると、    
履歴表示が２ページ分であるから、テレビ装置Ａの左側にページ２９が、同テレビ装置Ａの右側にページ３０が、それぞれ表示される。
【００３９】
また、テレビ装置Ｂの左側に情報端末装置１が表示するページと同じページ３１が、同テレビ装置Ｂの右側に、１ページ分の先読みページであるページ３２が、それぞれ表示される。
【００４０】
この例においては、情報端末装置１が表示する１ページについて、（ユーザが）その一部を読んでいる（目視している）場合でも、ページ全体は、適宜、テレビ装置Ｂで把握することができるため、使い勝手が向上する。
【００４１】
図４Ａ及び図４Ｂは、図２Ａが示す表示例及び図２Ｂが示す表示規則（状態）に関し、    
「履歴ページ表示数」を１とし、    
「先読みページ表示数」を０、    
「図参照ページの表示有無」を「有り」に、    
「図表拡大表示有無」を「有り」に、    
「ページ固定表示指示」をページ２０とした例である。
【００４２】
すなわち、図４Ａの表示例は、図４Ｂが保持（管理）する『状態』に従い、まず、    
「ページ固定表示指示」のページであるページ２０をテレビ装置Ａの左側に表示し、続いて「履歴ページ表示数」で指定された１ページ分であるページ３０を、テレビ装置Ａの右側に、履歴ページとして表示する例である。
【００４３】
また、テレビ装置Ｂでは、「図表拡大表示有無」が「有り」（有効）となっていることにより、情報端末装置１が表示する「現在のページ」が含む図表（画像）を拡大したものを、テレビ装置Ｂの左側に表示する。
【００４４】
また、「図参照ページの表示有無」が「有り」（有効）となっていることにより、情報端末装置１が表示している「現在のページ」に記されている『図２０』を参照した結果、『図２０』が記載されているページ（図４Ａは、２６ページに『図２０』が含まれる例を示す）を、テレビ装置Ｂの右側に表示する。
【００４５】
このように、図４Ａ及び図４Ｂに従う表示方法においては、「現在のページ」で表示されるページに、図表や画像（静止画）あるいは動画等が含まれる場合、その部分を大きく（拡大して）表示することができる。
【００４６】
また、あるページ内に、別のページや図番あるいは表示順を示す記号等により、参照すべき『ページ』や引用すべき『図表（画像）』等が指示されている場合、その指示に基づいて表示対象（参照）ページや図表を特定し、自動的に表示することができる。従って、参照先を探す手間を省くことができる。
【００４７】
なお、表示中のデジタルドキュメントが、例えばウェブページである場合、参照あるいは引用すべき『図表（画像）』は、予めリンク形式で用意されているため、特別な手順を必要とすることなく、容易に表示できる。
【００４８】
一方、表示中のデジタルドキュメントが、ページ単位で用意されている形式である場合には、テキスト（文字列）及びそのフォント（サイズ）情報やレイアウト情報等から画像（図表）の位置を推定・検出してもよい。例えば、一定条件で登場する同一サイズのスペース等に従い、文字列（テキスト）であることが特定できる。反面、特定の記号と数字あるいは特定の記号と「表」や「図」という文字及び数字の組み合わせのみが存在する行を見つけることができた場合、その行の上流（上方）または下流（下方）に図表（画像）が位置されている場合が多い。もちろん、レイアウト情報により、図表（画像）の位置が明らかである場合は、その情報を利用できる。
【００４９】
図５Ａ及び図５Ｂは、図４Ａが示す表示例及び図４Ｂが示す表示規則（状態）に関し、    
「ページ固定表示」を「無し」とし、    
「現在のページ表示」を、表示するを意味する「有り」（有効）とし、    
「ネットワークサービス関連情報の表示」を、表示するを意味する「有り」（有効）にした状態で、    
情報端末装置１が表示する「現在のページ」に関連する情報として、テレビ装置Ａに「現在のページ」全体と「「現在のページ」が含む図表（画像）の拡大表示」を、テレビ装置Ｂに、「現在のページ」で引用された図２０の存在するページ（図５Ａは、２６ページに『図２０』が含まれる例を示す）を表示する例である。
【００５０】
なお、テレビ装置Ｂの右側には、「ネットワークサービス関連情報の表示」が「有り」（有効）となっていることにより、ネットワークサービスとして公開された該当（現在表示している）デジタルドキュメントに対する関連情報を、表示する。関連情報としては、例えば記載ページ（現在の表示）についての読者コメント等が代表的である。
【００５１】
本例では、「現在のページ」に関連する情報を更に深く知るために、本システムと連携したネットワーク上のサービスとして、デジタルドキュメントに関連したコメントを共有するサービスと連携して取得したウェブページを自動的に表示することにより、記載内容の理解を深めることができる。また、ウェブページへは、ユーザ自身がコメントを追加することもできるため、自身の疑問点などを公開してフィードバックすることができる。
【００５２】
図６は、図２Ａ、図２Ｂ、図３Ａ、図３Ｂ、図４Ａ、図４Ｂ、図５Ａ及び図５Ｂ等により説明した上述のデジタルドキュメントの閲覧について、テレビ装置側の動作の一例として示す。
【００５３】
図６に示すように、デジタルドキュメント表示支援モードにおいて、テレビ装置Ａ（あるいはＢ）から、情報端末装置１に対して設定通知（物理配置情報、表示ページ可能数）を行う（ブロック［０１］）。
【００５４】
続いて、情報端末装置で閲覧中のデジタルドキュメント（ファイル）を取得する（ブロック［０２］）。
【００５５】
以下、情報端末装置の操作待ちとして、情報端末装置からの制御指示の入力があるまで待機する（ブロック［０３］）。
【００５６】
ブロック［０３］で情報端末装置からの制御指示の入力を受けつけたのち、対象となるテレビ装置の表示領域に個々のページを表示するための表示パラメータを取得する（ブロック［０４］）。なお、表示パラメータとしては、表示領域の示すＩＤ、その表示領域へ表示する内容、例えばドキュメントのページ番号やウェブページのＵＲＬである。
【００５７】
以下、個々のページ表示領域について繰り返す［ループ開始］（ブロック［０５］）。
【００５８】
ループがドキュメントのページ表示である場合（ブロック［０６−ＹＥＳ］）、表示対象のドキュメントの対象ページを個々のテレビ装置の表示領域に、レンダリングする（ブロック［０７］）。
【００５９】
ループが、ウェブページの表示である場合（ブロック［０８−ＹＥＳ］）、指定されたウェブページを個々のテレビ装置の表示領域に、レンダリングする（ブロック［０９］）。
【００６０】
以下、ブロック［０５］で開始した［ループ］の終了（ブロック［１０］）まで、順に各ページ表示領域に対して繰り返し、表示対象のページを表示（レンダリング）し、情報端末装置の次の操作（制御指示）の入力を待つ。
【００６１】
なお、デジタルドキュメントを表示するための表示支援モードを開始させると、ユーザによって設定されたテレビ装置の物理的な配置情報（左側／右側の割り当て）や表示ページ数を、サーバへ通知する。これにより、上述した情報端末装置が表示する任意ページのデジタルドキュメントを、任意数のテレビ装置の所定の表示領域に表示させることができる。
【００６２】
図７は、図６で説明したデジタルドキュメント表示支援モードにおいて、個々のテレビ装置が表示する表示内容のパラメータ（表示パラメータ）を作成する例を示す。
【００６３】
情報端末を保持したユーザが何らかの操作を行うことで、現在表示中のページに対する変更の指示であるか否かがチェックされる（ブロック［１１］）。
【００６４】
ブロック［１１］で、「現在のページ」の変更が指示された場合（ブロック［１１−ＹＥＳ］）、表示履歴を更新し（ブロック［１２］）、新たに表示するページの表示レイアウトを作成する（ブロック［１３］）。
【００６５】
以下、個々のテレビ装置について、［ループ開始］（ブロック［１４］）により、表示レイアウト、例えば左のページ表示領域から順に、固定ページ、履歴ページ表示、現在のページ、現在ページの図表拡大表示、先読みページ、図参照ページあるいはネットワークサービス関連情報の表示、等について、表示の有無（有効）か否かに従い、パラメータを決める（ブロック［１５］）。［ループ終了］（ブロック［１６］）。すなわち、全体の表示レイアウトを決定した後、各テレビ装置が持つ表示領域へ表示すべき情報を示す、表示パラメータを、各テレビ装置に通知することを繰り返す。
【００６６】
なお、ブロック［１１］でチェックしたユーザの操作が「設定」の変更である場合（ブロック［１１−ＮＯ］〜ブロック［１７−ＹＥＳ］）、現在保存されている設定情報が更新される（ブロック［１８］）。なお、現在保存されている設定情報は、上述の図２Ｂ、図３Ｂ、図４Ｂ及び図５Ｂ等により説明した『状態』として示した設定値であり、変更が指示された場合は、保存設定情報を更新し、（新たな）表示レイアウトが生成される。
【００６７】
図８は、図２Ａ、図３Ａ、図４Ａ及び図５Ａ等により説明したデジタルドキュメントのテレビ装置側の表示の設定に用いる設定画面（設定方法）を示す。
【００６８】
図８は、上述したデジタルドキュメントを任意数のテレビ装置及び情報端末装置の複数の表示部（画面）で表示するための個々のテレビ装置への表示の設定に用いる設定画面を示す。なお、図８に示す例は、情報端末装置の表示部１１が表示する例であるが、本実施形態を適用することで、個々のテレビ装置の表示部１１１に（拡大して）表示することもできる。
【００６９】
表示８０１は、例えばテレビ装置Ａ（１）８１１−１、Ｂ（２）８１１−２、Ｃ（３）８１１−３，・・・，ｎ（Ｎ）８１１−Ｎのそれぞれを、ユーザすなわち情報端末装置１の物理位置に対してどの位置に配置するか、を設定可能な位置設定表示８２１−１〜８２１−３及び８２１−ｎ、同位置設定表示を切り換え表示８３１−１〜８３１−３及び８３１−ｎを、少なくとも表示する。なお、それぞれの表示は、タッチパネル１５の操作入力を受けつけるものであり、ユーザの指が触れることで、いずれかの表示が示す設定が選択（設定）され、あるいは切り換えられる。なお、切り換え表示８３１−１〜８３１−３及び８３１−ｎは、選択できる表示が２以上の表示により切り換えられる場合に、ユーザの指が触れる毎に、例えば『[左]  [上]  [右]  [下]』８３１−１と『[左左]  [左]  [右]  [右右]』８３１−ｎが交互に表示されるものとする。
【００７０】
例えば、テレビＡ（１）について物理位置を『左』と設定する場合、切り換え表示８３１−１により『[左]  [上]  [右]  [下]』表示８２１−１を表示させ、『[左]』を入力することで、テレビＡ（１）の位置が設定できる。なお、テレビ装置（ここではテレビＡ）が、例えば図２Ａに示すどのテレビ装置であるかは、家庭内ＬＡＮに接続されたテレビ装置に固有のｍａｃ（media access control）アドレスの自動取得、等により、例えばテレビ装置名表示８１１−１、８１１−２等に引き続く、表示欄８１０−１、８１０−２等に表示されてもよい。
【００７１】
以下、上述の図２Ｂ、図３Ｂ、図４Ｂ及び図５Ｂ等により説明した『状態』として定義されている「現在のページ」の表示の有無の項を示す表示８１２及び設定部（表示）８２２、「履歴ページ」の表示の有無の項を示す表示８１３及び設定部（表示）８２３、「先読みページ」の表示の有無の項を示す表示８１４及び設定部（表示）８２４、「図参照ページの表示」の有無の項を示す表示８１５及び設定部（表示）８２５、「ネットワークサービス関連情報の表示」の有無の項を示す表示８１６及び設定部（表示）８２６、「ページ固定表示指示」の有無の項を示す表示８１７及び設定部（表示）８２７、及び、「図表拡大表示」の有無の項を示す表示８１８及び設定部（表示）８２８が、それぞれ設定部がタッチパネルの入力部として機能するよう、表示される。
【００７２】
なお、「履歴ページ」の表示８１３において、設定部（表示）８２３から「有り」が入力されると、数値入力表示８３３が、図示しない数値入力表示あるいはアップダウンキー表示、等によるユーザ入力と連動して、例えばカウントアップ方式で、『[０１]  [０２]  [０３]』と変化する。つまり当該設定画面では、デジタルドキュメントのうち、情報端末装置に表示済及び又は未表示の所定ページ数（所定範囲）をテレビ装置に表示させるよう設定できる。また、一例ではあるが、他の項の表示に触れることで、最後に入力された数値が保持される。なお、数値入力が必要な項（パラメータ）である「先読みページ」の表示８１４及び設定部８２４、「ページ固定表示指示」の表示８１７及び設定部８２７についても同様である。
【００７３】
また図８の例では、テレビ装置Ａ（１）８１１−１、Ｂ（２）８１１−２、Ｃ（３）８１１−３，・・・，ｎ（Ｎ）８１１−Ｎのそれぞれをどの位置に配置するかについて、位置を示す文字を選択することにより設定可能としているが、例えば夫々のテレビを示すアイコン画像をユーザ操作に応じて設定画面上で配置することにより、夫々のテレビの位置を設定可能としても良い。即ち、例えば夫々のテレビ装置及び情報端末装置に対応するアイコン画像を設定画面に表示し、ユーザからのアイコンドラッグ操作等に応じて、これらアイコンの設定画面での表示位置を変更する。そしてこれらアイコンの表示位置に応じてテレビ装置と情報端末装置との位置関係を設定する。なお、アイコン画像は、当該アイコン画像と例えば装置名を示す画像とを併せて表示する、あるいはアイコン画像の形状を所定のテレビ装置の形状に対応する形状とすること等により、何れのテレビ装置に対応するアイコンであるかを示してもよい。
【００７４】
図８に示した上述設定画面表示及びタッチパネルを介する設定入力方法は、例えば情報端末装置１に予めセットされていても良いし、サービスサーバから取得（ダウンロード）する形態であっても良い。また、単独で販売されるテレビ装置に、あらかじめ用意されてもよい。示す。なお、図８に示す例は、情報端末装置の表示部１１が表示する例であるが、本実施形態を適用することで、個々のテレビ装置の表示部１１１に（拡大して）表示することもできる。
【００７５】
なお、上述の実施の形態においては、インターネット上のサーバを介した動作を示したが、サーバ側の機能を情報端末装置またはテレビ装置の少なくとも一方に持たせることによって、サーバを省略した構成で実施することも可能である。
【００７６】
また、デジタルドキュメントをテレビ装置側へ一括してダウンロードする手順を示したが、必要なページデータを取得するようにして実施することも可能である。つまり、情報端末装置１は、テレビ装置３に対して表示すべきページデータを送信する、又は当該ページデータのネットワーク上からの取得指示を送信しても良い。そしてこの場合にも情報端末装置１は、テレビ装置３に対して、ページデータの表示形態を示す表示規則を送信する。つまり情報端末装置１の通信制御部２７は、例えば所定のページデータと共に、当該ページデータに含まれる所定番号の図表を抽出し拡大して表示するように示す表示規則を送信しても良い。また通信制御部２７は、テレビ装置３の画面の領域の何れの位置に何れの図表を表示させるかを示す表示規則を送信しても良い。
【００７７】
以上説明した通り、本実施の形態により、デジタルドキュメントを読むための情報端末装置が表示する表示ページを元に、テレビ装置側が表示する内容を任意に決められるようにすることによって、デジタルドキュメントの閲覧性を向上できる。また、ユーザの周囲に存在するテレビ装置を、複数ページの表示に使うことで、表示ページ全体やその前に表示していた情報などを参照することができ、より情報の閲覧性を高めることができる。
【００７８】
なお情報端末装置１は、テレビ装置３が複数の場合に、複数のテレビ装置夫々に同じページの画像を表示させるように表示規則を送信しても良い。つまり、例えば、１のユーザ（発表者等）が情報端末装置１を操作し、その他の複数ユーザ（聴衆等）が夫々異なるテレビ装置を視聴している場合、情報端末装置１は複数のテレビ装置夫々に同一の画像を表示させる表示規則を送信する。そしてこの場合に情報端末装置１は、例えばプロジェクタ等の表示装置にはページデータ中の所定図表の表示を指示する表示規則を出力し、複数ユーザが視聴している夫々のテレビ装置には、上記プロジェクタ等に表示させている図表に対応するページの表示を指示する表示規則を送信する。
【００７９】
なおこの場合に情報端末装置１は、所定の図表をページデータから抽出し、抽出した所定図表の画像データをプロジェクタに送信することも可能である。つまり、情報端末装置１は、複数の表示装置のうち何れかに対しては抽出した画像のデータを、その他に対しては表示規則を送信することにより、夫々の装置での表示内容を制御してもよい。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１…情報端末装置、３…テレビ装置／表示装置（１）、５…ルータ、７…テレビ装置／表示装置（２）、１１…表示部（端末装置）、１５…タッチパネル、３１…表示制御部（端末装置）、１１１…表示部（テレビ装置）、１３１…表示制御部（テレビ装置）。
【図１】
2012231315.tif 000003
【図２Ａ】
2012231315.tif 000004
【図２Ｂ】
2012231315.tif 000005
【図３Ａ】
2012231315.tif 000006
【図３Ｂ】
2012231315.tif 000007
【図４Ａ】
2012231315.tif 000008
【図４Ｂ】
2012231315.tif 000009
【図５Ａ】
2012231315.tif 000010
【図５Ｂ】
2012231315.tif 000011
【図６】
2012231315.tif 000012
【図７】
2012231315.tif 000013
【図８】
2012231315.tif 000014